【事件の表示】
　特許第３１８９４４９号「画像処理装置」の請求項１ないし３に係る特許に対する特許異議の申立てについて、次のとおり決定する。
【結　論】
　訂正を認める。
　特許第３１８９４４９号の請求項１ないし３に係る特許を維持する。
【理　由】
１．手続の経緯
　特許第３１８９４４９号の請求項１〜３についての出願は、平成４年１２月１１日（優先権主張、平成３年１２月２７日）に特許出願され、平成１３年５月１８日にその発明について特許の設定登録がなされ、その後、その特許について、異議申立人小林敏樹より特許異議の申立がなされ、平成１４年３月２２日に取消理由通知がなされ、その指定期間内である平成１４年６月３９日に訂正請求がされ（平成１４年７月１２日付けで取り下げられた）、平成１４年６月２１日に取消理由通知がなされ、その指定期間内である平成１４年７月１２日に訂正請求がされたものである。
　
　
２．訂正の適否についての判断
（１）訂正の内容
　特許権者が、訂正請求において求めている訂正の内容は、次のとおりである。
　
ａ．特許請求の範囲の請求項１に係る記載
「【請求項１】　画素ごとに読取られた画像データを受取る受取手段と、
　受取った所定の画像データの一部または全部を隣接する画素の画像データに移設するように加工するデータ加工手段と、
　隣接する画素同士における画像データの差を演算する演算手段と、
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。」を、
「【請求項１】　画素ごとに読取られた画像データを受取る受取手段と、
　受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　前記ウィンド内の隣接する画素同士における画像データの差を演算する演算手段と、
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。」に訂正する。
　
ｂ．特許請求の範囲の請求項２を削除する。
　
ｃ．特許請求の範囲の請求項３に係る記載
「【請求項３】　画素ごとに読取られた画像データを受取る受取手段と、
　受取った画像データを、隣接する画素同士における一方の画素の画像データが他方の画素の画像データに移設されるように加工するデータ加工手段と、
　加工された画像データを出力するデータ出力手段と、
　前記一方の画素の画像データと前記他方の画素の画像データとの差が第１の所定値以上である場合、画像データの加工を行なわないように前記データ加工手段を制御する第１制御手段と、
　前記一方の画素の画像データと前記他方の画素の画像データとの差が前記第１の所定値未満である場合、その隣接画素の画像データの平均値によって定まる第２の所定値をその隣接画素を構成する各々の画素の画像データに加算または減算し、前記第２の所定値によって変化した画像データを前記受取った画像データと
して加工するように前記データ加工手段を制御する第２制御手段と、を備えた画像処理装置。」を、
「【請求項２】　画素ごとに読取られた画像データを受取る受取手段と、
　受取った画像データを、隣接する２画素からなるウィンド内の一方の画素の画像データの値よりその値の一部または全部を減じ、同一ウィンド内の他方の画素の画像データの値に前記減じた値を加えるように加工するデータ加工手段と、
　加工された画像データを出力するデータ出力手段と、
　前記一方の画素の画像データの値と前記他方の画素の画像データの値との差が第１の所定値以上である場合、画像データの加工を行なわないように前記データ加工手段を制御する第１制御手段と、
　前記一方の画素の画像データの値と前記他方の画素の画像データの値との差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を備えた画像処理装置。
【請求項３】　画素ごとに読取られた画像データを受取る受取手段と、
　受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　加工された画像データを出力するデータ出力手段と、
　前記ウィンド内の隣接する画素同士における画像データの値の差が第１の所定値以上である場合、画像データの加工を行なわないように前記データ加工手段を制御する第１制御手段と、
　前記ウィンド内の隣接する画素同士における画像データの値の差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を備えた画像処理装置。」に訂正する。
　
（２）訂正の目的の適否、新規事項の有無及び拡張・変更の在否
　訂正事項ａ〜ｃの訂正について、その訂正の適否を検討する。
　
　訂正事項ａについて、本件特許公報の段落【００５３】〜【００５４】の
「【００５３】隣接する３画素に対する濃度データの移設の処理については、図２７に具体的に示されている。
【００５４】図２７の（１）において示されているように、中央の画像データＭと、その左側に隣接する画像データＬと、その右側に隣接する画像データＲとが、図に示すような値をとっていると想定する。この場合、隣接する３画素の内、最大の濃度データを保有する画像データ、すなわちこの例では、画像データＬと、隣接する３画素の中で、最小の濃度データを保有している画像データ、すなわちこの例では、画像データＭとの差異が求められる。この差異Ｄが、しきい値ＤTHより小さい場合、中央の画像データＭに対して、その両側の画像データＬおよびＲの濃度データの移設が行なわれる。この例では、画像データＬの値が画像データＭの値に重ねられ、さらに、画像データＲの値が、その上に重ねられるが、すべての画像データを中央の画像データＭに積み上げると、濃度データの最大値２５５を越えてしまうので、その最大値を越えた部分は、分配されて画像データＬおよびＲの値として残ることになる。」なる記載に依拠したものであり、ウィンド内の画素数を３画素に限定すると共に、画素データの値の移設元と移設先の画素数が不明瞭であった記載を釈明するものであるから、この訂正は、特許請求の範囲の減縮、及び、明りょうでない記載の釈明を目的とした訂正に該当する。
　
　訂正事項ｂについては、特許請求の範囲の請求項２を削除するものであるから、特許請求の範囲の減縮を目的とした訂正に該当する。
　
　訂正事項ｃについては、本件特許公報の段落【０１０４】〜【０１０５】及び【０１０８】の
「【０１０４】一方、調子設定入力があった場合は、ステップＳ９１０で調子の設定内容に応じたオフセットテーブルがオフセット値参照テーブル２５４から準備される。次に、画像データＬおよびＲの平均濃度データＤａが算出される（Ｓ９１１）。そのデータＤａに基づいてオフセット値Ｄｏがオフセットテーブルから求められる（Ｓ９１２）。
【０１０５】オフセット値Ｄｏが求まるとステップＳ９１３で画像データＬおよびＲの各々にオフセット値Ｄｏを加えた値を画像データＬ′およびＲ′として求める（Ｓ９１３）。そして、画像データＬを画像データＬ′およびＲ′を加えた値として求め、フローはステップＳ９１６に進む。」、及び、
「【０１０８】なお、上記第５の実施例では、隣接した２画素を対象とした万線スクリーン処理に適用しているが、第２の実施例で示した隣接した３画素を対象とした万線スクリーン処理にも同様に適用できる。」なる記載に依拠したものであり、ウィンド内の画素数を２又は３画素に限定すると共に、画素データの値の移設元と移設先の画素数が不明瞭であった記載を釈明するものであるから、この訂正は、特許請求の範囲の減縮、及び、明りょうでない記載の釈明を目的とした訂正に該当する。
　
　しかも、上記訂正事項ａ〜ｃの訂正は、いずれも、新規事項の追加に該当せず、実質的に特許請求の範囲を拡張又は変更するものではない。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）本件発明
　訂正が認められるので、特許第３１８９４４９号の請求項１〜３に係る発明は、訂正明細書の特許請求の範囲の請求項１〜３に記載された次のとおりのものと認められる。
　
「【請求項１】　画素ごとに読取られた画像データを受取る受取手段と、
　受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　前記ウィンド内の隣接する画素同士における画像データの差を演算する演算手段と、
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。
【請求項２】　画素ごとに読取られた画像データを受取る受取手段と、
　受取った画像データを、隣接する２画素からなるウィンド内の一方の画素の画像データの値よりその値の一部または全部を減じ、同一ウィンド内の他方の画素の画像データの値に前記減じた値を加えるように加工するデータ加工手段と、
　加工された画像データを出力するデータ出力手段と、
　前記一方の画素の画像データの値と前記他方の画素の画像データの値との差が第１の所定値以上である場合、画像データの加工を行なわないように前記データ加工手段を制御する第１制御手段と、
　前記一方の画素の画像データの値と前記他方の画素の画像データの値との差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を備えた画像処理装置。
【請求項３】　画素ごとに読取られた画像データを受取る受取手段と、
　受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　加工された画像データを出力するデータ出力手段と、
　前記ウィンド内の隣接する画素同士における画像データの値の差が第１の所定値以上である場合、画像データの加工を行なわないように前記データ加工手段を制御する第１制御手段と、
　前記ウィンド内の隣接する画素同士における画像データの値の差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を備えた画像処理装置。」
　
（２）申立て理由の概要
　申立人小林敏樹は、証拠として、甲第１号証（特開平４−２０００７７号公報）及び甲第２号証（特開平２−２７６３６６号公報）を提出し、請求項１は特許法第２９条の２の規定により特許を受けることができないものであり、請求項３（訂正後の請求項２及び請求項３）は、特許法第２９条第２項の規定に違反してなされたものであるから、特許を取り消すべき旨を主張している。
　
（３）引用刊行物に記載された発明
　当審が平成１４年３月２２日付けで通知した取消理由で引用した刊行物は、刊行物１（特開平４−２０００７７号公報）（甲第１号証）、及び、刊行物２（特開平２−２７６３６６号公報）（甲第２号証）である。
　
（刊行物１）
　刊行物１（特開平４−２０００７７号公報）には、
　「本実施例の方式は、主走査或いは副走査方向のみの面積階調を含めた方式であるため、読取原稿の濃度データの上記面積階調を実行する方向の空間周波数（例えば、面積階調を実行するドット間の濃度差）により、簡易に原稿を判断して空間周波数の高い部分（主に文字）は１ドット多階調書込処理、低い部分（主に写真）は１ドット多階調書込みと微小マトリクスとの組み合わせ処理を実行する。
　自動原稿モードにおける画像情報の空間周波数による１ドット多値書込みと、２ドット多値書込みの切替えの判断は、第１１図（ａ）の１、２多値回路における減算回路１１１１にて実行する。面積階調を実行するドットの濃度データの差により濃度変化の急峻さを求める。減算回路１１１は加算器等のロジックで構成され、比較器により濃度差を基準値と判断し、その検出値からＲＯＭ１１０６に入力されるデータを選択して書込みデータを選択し、その濃度変換テーブルを上位アドレスにより切り替える。
　第１１図（ａ）において、減算回路１１１１には、面積階調に用いる注目２ドットの濃度データがデータライン１１２４、１１２５より入力される。減算回路１１１１ではその濃度差を求め、例えば、６４段階で１６以上あれば、それを画像のエッジ部と判断して、１ドット処理を実行する。判断を実行する闇値はシステムに応じて可変であり、同一原稿内でも濃度によって、その値を変えることができる。
　上記減算回路１１１１では、判別データから切替ライン１１２０によりＳＷ５を動作させて、データライン１１２２、１１２３を切り替える。データライン１１２２は１ドット処理の６ビットデータ、データライン１１２３は２ドット処理の７ビットデータである。
　また、同時にγテーブル選択ライン１１２１により、処理に応じた変換テーブルをアドレスする。遅延回路１１１０は、ラインメモリ１１０１、１１０２或いはラッチ１１０３、１１０４におけるデータの遅れを補正し、処理切替え時のドットを同期させている。」（明細書の第８頁上右欄第１１行〜下右欄第１３行）なる記載、
　「本装置に使用したγ変換テーブルの例を第１３図（ａ）、（ｂ）、（ｃ）に示す。
　第１３図（ａ）は１ドット多値書込みのγ変換テーブル、第１３図（ｂ）は１×２マトリクスに用いたγ変換テーブル、第１３図（ｃ）は２×１マトリクスに用いたγ変換テーブルである。
　全て原稿濃度に対して複写濃度がほぼ等しくなるように設定されている。
　２ドット多値書込部は、中間濃度までは片方のＥＶＥＮドットのみを露光し、入力データに対して増加させ、ＥＶＥＮドットが最大値に達するとＯＤＤドットの露光強度を増加させる。これにより、２ドットの濃度情報を維持しながら、ドットを集中させる。また、このテーブルにより自由にγをコントロールでき、２ドットの増加の仕方も変えることができる。更に、面積階調との組み合わせ方式によっても濃度出力特性が変化するため、γ変換データ或いは変換テーブルにＲＡＭを用い、それを書き換える。」なる記載、
及び、第１１図（ａ）、第１３図からみて、実質的に、
　１ドット変調による多階調書込みに微小マトリクスを組み合わせて画像形成をおこなうデジタル複写機等の画像形成装置に関するものであるので、本件特許発明と同じ技術分野に属し 、
　「画素ごとに読取られた画像データを受取る受取手段と、
　受取った画像データを、隣接する２画素からなるウィンド内の一方の画像データの値よりその値の一部または全部を減じ、同一ウィンド内の他の画素の画像データの値に前記減じた値を加えるように加工するデータ加工手段と、
　前記ウィンド内の隣接する画素同士における画像データの差を演算する演算手段と、
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。」に相当する発明が記載されている。
　
（刊行物２）
　刊行物２（特開平２−２７６３６６号公報）には、
 「一般に画像形成装置においては、地肌の奇麗なコピーを得たいという要求のために、種々の画像処理が行われている。
　例えば、
（１）原稿地肌のピーク値や平均値に基づいて、読取画像データを補正（特に地肌濃度を除去）すること、
（２）補正対象画素の周辺の画像データまたはそれらの平均値（単純平均または加算平均）に基づいて読取画像データを補正すること、あるいは２値化のスライスレベルを変調すること、等である。」（明細書第１頁下右欄第１０行〜第２頁上左欄第１行）なる記載があり、「濃度補正をおこなう際に平均値を用いる点」に相当する技術が記載されている。
　
（４）対比・判断
（ア）本件請求項１に係る発明について
　本件請求項１に係る発明と刊行物１記載の発明とを対比すると、本件発明の「 受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段」の構成が、刊行物１及び２には記載されていない。
　このため、本件請求項１に係る発明は、刊行物１及び２に記載された発明でない。
　
（イ）本件請求項２及び３に係る発明について
　本件請求項２及び３に係る特許発明は、平成３年１２月２７日の基礎出願には記載されておらず、平成４年１２月１１日の優先権主張出願において新たに付加された内容である。
　したがって、この請求項２については、平成４年７月 ２１日に公開された刊行物１（特開平４−２０００７７号公報）の出願公開後の出願となるため、この刊行物１についても公知文献となる。
　そこで、本件請求項２及び３に係る発明と刊行物１記載の発明とを対比すると、刊行物１の第１３図（ｂ）および（ｃ）等に記載された濃度データの移設をおこなう際のγ補正による濃度変換は、ＥＶＥＮおよびＯＤＤへ濃度データの移設を行った上でのγ補正による濃度変換であって、本件発明のごとき、濃度データの移設を行う前の、ウィンド内の隣接画素の画像データの平均値を用いてγ補正による濃度補正ではない。
　このため、「ウィンド内の隣接画素の画像データの平均値によって定まる第２の所定値を当該ウィンド内の各々の画素の画像データの値に加算または減算し、前記第２の所定値によって変化した画像データを前記受取った画像データとして加工する」の構成は、刊行物１には記載されていない。
　そして、刊行物２には「平均値」を用いて濃度補正する技術事項は開示されているものの、本件発明の「ウィンド内の隣接画素の画像データの平均値を用いてγ補正による濃度補正を行った上で濃度データの移設を行う構成」については記載されておらず、また該構成を示唆するものでもない。
  してみると、本件請求項２及び３に係る発明は、刊行物１に記載された発明でないばかりか、刊行物１、２に記載された発明に基づいて当業者が容易に発明できたものでもない。
　
　
（６）むすび
　以上のとおりであるから、特許異議申立の理由及び証拠によっては、本件請求項１〜３に係る発明の特許を取り消すことはできない。
  また、他に本件請求項１〜３に係る発明の特許を取り消すべき理由を発見しない。
　
  よって、結論のとおり決定する。
【異議決定日】
平成１４年７月１６日（２００２．７．１６）
【訂正の要旨】
訂正の要旨
ａ．特許請求の範囲の減縮、及び、明りょうでない記載の釈明を目的として、
設定登録時の特許請求の範囲の請求項１の
「【請求項１】　画素ごとに読取られた画像データを受取る受取手段と、
　受取った所定の画像データの一部または全部を隣接する画素の画像データに移設するように加工するデータ加工手段と、
　隣接する画素同士における画像データの差を演算する演算手段と、
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。」を、
「【請求項１】　画素ごとに読取られた画像データを受取る受取手段と、
　受取った
画像データを、隣接する３画素からなるウィンド内の所定の２画素の画像データの値よりその値の一部または全部を減じ、同一ウィンド内の他の画素の画像データの値に前記減じた値を加えるように
　
前記ウィンド内の
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。」に訂正する。
ｂ．特許請求の範囲の減縮を目的として、特許請求の範囲の請求項２を削除する。
ｃ．特許請求の範囲の減縮、及び、明りょうでない記載の釈明を目的として、
設定登録時の特許請求の範囲の請求項３の
「【請求項３】　画素ごとに読取られた画像データを受取る受取手段と、
　受取った画像データを、隣接する画素同士における一方の画素の画像データが他方の画素の画像データに移設されるように加工するデータ加工手段と、
　加工された画像データを出力するデータ出力手段と、
　前記一方の画素の画像データと前記他方の画素の画像データとの差が第１の所定値以上である場合、画像データの加工を行なわないように前記データ加工手段を制御する第１制御手段と、
　前記一方の画素の画像データと前記他方の画素の画像データとの差が前記第１の所定値未満である場合、その隣接画素の画像データの平均値によって定まる第２の所定値をその隣接画素を構成する各々の画素の画像データに加算または減算し、前記第２の所定値によって変化した画像データを前記受取った画像データとして加工するように前記データ加工手段を制御する第２制御手段と、を備えた画像処理装置。」を、
「【請求項２】　画素ごとに読取られた画像データを受取る受取手段と、
　受取った画像データを、
隣接する２画素からなるウィンド内の
の値よりその値の一部または全部を減じ、同一ウィンド内の
の値に前記減じた値を加えるように
　加工された画像データを出力するデータ出力手段と、
　前記一方の画素の画像データ
の値
の値
　前記一方の画素の画像データ
の値
の値
前記ウィンド内
当該ウィンド内
の値
　【請求項３】　
画素ごとに読取られた画像データを受取る受取手段と、
　
受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　
加工された画像データを出力するデータ出力手段と、
　
前記ウィンド内の隣接する画素同士における画像データの値の差が第１の所定値以上である場合、画像データの加工を行なわないように前記データ加工手段を制御する第１制御手段と、
　
前記ウィンド内の隣接する画素同士における画像データの値の差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を備えた画像処理装置。」
（５４）【発明の名称】
画像処理装置
（５７）【特許請求の範囲】
　【請求項１】　画素ごとに読取られた画像データを受取る受取手段と、
　受取った
画像データを、隣接する３画素からなるウィンド内の所定の２画素の画像データの値よりその値の一部または全部を減じ、同一ウィンド内の他の画素の画像データの値に前記減じた値を加えるように
　
前記ウィンド内の
　演算された差が所定のしきい値より小さい場合に前記データ加工手段で加工された画像データを出力する一方、差が所定のしきい値より大きい場合に前記データ加工手段で加工することなく画像データを出力するデータ出力手段と、を備えた画像処理装置。
　【請求項２】　画素ごとに読取られた画像データを受取る受取手段と、
　受取った画像データを、
隣接する２画素からなるウィンド内の
の値よりその値の一部または全部を減じ、同一ウィンド内の
の値に前記減じた値を加えるように
　加工された画像データを出力するデータ出力手段と、
　前記一方の画素の画像データ
の値
の値
　前記一方の画素の画像データ
の値
の値
前記ウィンド内
当該ウィンド内
の値
　【請求項３】　
画素ごとに読取られた画像データを受取る受取手段と、
　
受取った画像データを、隣接する３画素からなるウィンド内の所定の２画素の画像データの値よりその値の一部または全部を減じ、同一ウィンド内の他の画素の画像データの値に前記減じた値を加えるように加工するデータ加工手段と、
　
加工された画像データを出力するデータ出力手段と、
　
前記ウィンド内の隣接する画素同士における画像データの値の差が第１の所定値以上である場合、画像データの加工を行なわないように前記データ加工手段を制御する第１制御手段と、
　
前記ウィンド内の隣接する画素同士における画像データの値の差が前記第１の所定値未満である場合、前記ウィンド内の隣接画素の画像データの平均値によって定まる第２の所定値を当該ウィンド内の各々の画素の画像データの値に加算または減算し、前記第２の所定値によって変化した画像データを前記受取った画像データとして加工するように前記データ加工手段を制御する第２制御手段と、を通えた画像処理装置。
【発明の詳細な説明】
　【０００１】
　【産業上の利用分野】
　この発明は画像処理装置に関し、特にレーザ光を用いて各画素単位の濃度データを再現することによって画像を形成する画像処理装置に関するものである。
　【０００２】
　【従来の技術】
　走査記録型の記録装置において、画像の濃淡をデジタル的に再現するために種々の方式が採用されている。そのようなデジタル階調再現法としてディザ法、強度変調方式およびパルス幅変調方式等がある。ディザ法は、複数の画素を１つの単位として、そこに含まれる画素のオン・オフの面積率を変化させて、画像の濃淡を表わす。強度変調方式は１画素に対して多段にレーザの発光強度を変調させ画素内に平均的にレーザエネルギを照射し、濃度を変化させていくものである。パルス幅変調方式は、レーザの発光強度を一定に保ち、単位画素当りの発光時間を変調させるもので、たとえば特開昭６１−２２５９７１号公報および特開昭６２−１１６９５９号公報において開示されている。
　【０００３】
　【発明が解決しようとする課題】
　ディザ法では複数の画素を１つの単位とするためにディザ法固有のモアレノイズが発生し、画質を低下させる。
　【０００４】
　強度変調方式では、基本的に読取った画像データに応じて１対１に濃度出力することができ、高い解像力ときめ細かい滑らかな階調特性を得ることが可能となる。しかし、ハイライト部では、微妙な濃度制御が必要となるため、その階調再現性が難しい。また、画像記録紙の下地の影響を受け、中間調部の粒状性の粗さが目立つという問題がある。
　【０００５】
　一方、パルス幅変調方式では、強度変調方式の粒状性の問題は改善しているものの、一般に採用されているのは、２画素単位に対する画素重心の移動を行なうため、たとえば４００ＤＰＩの濃度データを再現した場合、実質的には２００ＤＰＩの再現性となり、解像力が低下する。一方、１画素単位でパルス幅変調方式を採用すると、濃度が低い画素では、レーザの発光時間は相当短くなり、トナーの付着性の点で画質の安定性に欠ける。
　【０００６】
　このような課題を解決するために、本願出願人は特願平３−３５９０８２号において、いわゆる万線スクリーン処理による画像処理装置を提案した。
　【０００７】
　しかし、万線スクリーン処理を原稿の種類に関わらず一様に行なうと、たとえば写真画像と文字画像とが混在しているような原稿の場合、文字部で万線スクリーン処理によるパターン化の影響が出て好ましくない。そこで、これを防ぐために原稿画像の種類を判断し、処理の実行を切換える方法が考えられるが、種類の判断（領域判別）が変化する境界部で処理が突然変化することになってしまい、視覚的に違和感のある再現画像になってしまう。
　【０００８】
　この発明は上記のような課題を解決するためになされたもので、原稿画像内の画像の種類が変化する境界部での処理の連続性をもたせ、かつ解像度を維持させながら中間調部の粒状性を改善する画像処理装置を提供することを目的とする。
　【０００９】
　【課題を解決するための手段】
　この発明に係る画像処理装置は、画素ごとに読取られた画像データを受取る受取手段と、受取った所定の画像データの一部または全部を隣接する画素の画像データに移設するように加工するデータ加工手段と、隣接する画素同士における画像データの差を演算する演算手段と、演算された差が所定のしきい値より小さい場合にデータ加工手段で加工された画像データを出力する一方、差が所定のしきい値より大きい場合にデータ加工手段で加工することなく画像データを出力するデータ出力手段とを備える。
　好ましくはデータ加工手段は、隣接する画素同士における画像データの差に応じて定められた値に基づいて、隣接する一方の画素の画像データを他方の画素の画像データに移設する。
　この発明の他の局面に係る画像処理装置は、画素ごとに読取られた画像データを受取る受取手段と、受取った画像データを、隣接する画素同士における一方の画素の画像データが他方の画素の画像データに移設されるように加工するデータ加工手段と、加工された画像データを出力するデータ出力手段と、一方の画素の画像データと他方の画素の画像データとの差が第１の所定値以上である場合、画像データの加工を行なわないようにデータ加工手段を制御する第１制御手段と、一方の画素の画像データと他方の画素の画像データとの差が第１の所定値未満である場合、その隣接画素の画像データの平均値によって定まる第２の所定値をその隣接画素を構成する各々の画素の画像データに加算または減算し、第２の所定値によって変化した画像データを受取った画像データとして加工するようにデータ加工手段を制御する第２制御手段とを備える。
　【００１０】
　【作用】
　この発明においては、受取られた所定の画像データの一部または全部が隣接する画素の画像データに移設されるようにデータが加工される。また、隣接する画素同士における画像データの差が演算され、演算された差に基づいて画像データが出力される。
　【００１１】
　【実施例】
　図１はこの発明の一実施例であるデジタル複写機本体の断面構造図である。
　【００１２】
　図を参照して、プリンタ本体１はデスク４０上にセットされ、ほぼ中央部には感光体ドラム１０が矢印ａの方向に回転駆動可能に設置されている。感光体ドラム１０の周囲には帯電チャージャ１１、磁気ブラシ式の現像装置１２および１３、転写チャージャ１４、用紙分離チャージャ１５、残留トナーのクリーニング装置１６、残留電荷のイレイサーランプ１７等が設置されている。画像はレーザビーム走査光学系２にて感光体ドラム１０上に帯電処理の直後に露光される。なお、これらのエレメントによるプリント処理は周知であるので、その説明は省略する。
　【００１３】
　一方、プリンタ本体１の図中左側には自動給紙カセット２１、２２および２３が３段設けられ、またデスク４０にはオプションとしてのエレベータ方式の自動給紙ユニット２４が設置されている。各カセットおよび給紙ユニット内に装填されている用紙のサイズないし秤量は、それぞれセンサＳＥ１１〜ＳＥ１４で検知される。用紙は各カセットおよび給紙ユニットからそれぞれの給紙ローラ２５〜２８によって選択的に１枚づつ給紙される。図中太線は通紙経路を示し、各用紙はタイミングローラ３０で一端保持され、感光体ドラム１０上に形成された画像と同期をとって転写部へ送り込まれる。トナー画像転写後の用紙は、搬送ベルト３１にて定着装置３２へ搬送され、ここでトナーが加熱定着された後、排出ローラ３３から本体外へ排出され、用紙反転ユニット５０に導入される。
　【００１４】
　用紙反転ユニットは、片面プリント済み用紙の他の１面にもプリントする両面プリンタまたは同一面に重ねてプリントする合成プリントのため、ローラ３６および３７等で構成される再給紙通路３５へ用紙を送込む機能と、用紙排出トレー６０へ用紙をストレートに搬送するフェイスアップ排紙（非反転モード）および表裏反転させるフェイスダウン排紙（反転モード）を選択的に処理する機能とを合せ持っている。
　【００１５】
　以上の機能を達成する上で、用紙反転ユニットは受入れローラ５１、送出しローラ５２、正逆転切換ローラ５３および５４ならびにスイッチバック通路５８を有している。切り換え爪５６および５７は図示しないソレノイドで回転角度を２つの位置に切替え可能とされている。
　【００１６】
　非反転モードにおいて、用紙は受入れローラ５１から切り換え爪５６の上面でガイドされ、送出しローラ５２から用紙トレー６０にフェイスアップの状態で送出される。反転モードにおいて、用紙は受入れローラ５１から切り換え爪５６の左側面でガイドされ、さらにローラ５４の正転にて用紙先端部がスイッチバック通路まで達する。用紙の後端が反転ポイントＱへ達するとローラ５３および５４が逆転に切換えられる。ここで、用紙はそれまでの後端を先端にして切り換え爪５６の右側面でガイドされ、送出しローラ５２から用紙トレーにフェイスダウンの状態で送出される。
　【００１７】
　一方、両面プリントモードにおいて、用紙は前記反転モードと同様にスイッチバック通路へ搬送され、用紙の後端が反転ポイントＰへ到達すると、ローラ５４が逆転に切換えらえる。ここで用紙はそれまでの後端を先端にして切り換え爪５７の左下面でガイドされ、再給紙ローラ３６および３７から再給紙通路３５へ送込まれる。合成プリントモードにおいて、用紙はローラ５３から切り換え爪５７の左上面でガイドされ、再給紙ローラ３６および３７から再給紙通路３５へ送込まれる。
　【００１８】
　イメージリーダ（ＩＲ）光学系１１０は原稿台ガラス１１８上に置かれた原稿を露光走査し、そこからの反射光をたとえばＣＣＤアレイを用いた光電変換素子１１６および１１７にて電気信号に変換するものである。光電変換素子１１６および１１７はたとえば黒色等の特定色の画像と、赤色等のそれ以外の色の画像とを各々電気信号に変換する。
　【００１９】
　イメージリーダ（ＩＲ）光学系１１０はスキャンモータＭ２によって原稿台ガラス１１８と平行移動するスキャナ１１９に取付けられ、原稿を照射する露光ランプ１１１および原稿からの反射光の向きを変える反射ミラー１１２と、反射ミラー１１２からの光路を変える２つのミラー１１３ａおよび１１３ｂと、反射光を集光するレンズ１２４と、反射光の波長により色を判別し、それを反射または透過して２つの光電変換素子１１６および１１７に反射光を導くハーフミラー１１５と、受光した光に応じて電気信号で発生する光電変換素子１１６および１１７とを有し、スキャナ１１９が矢印で示す左向きに移動するとき原稿を露光走査する。
　【００２０】
　図２は図１の光学ユニット２におけるレーザ光学系の構成を示す斜視図である。
　【００２１】
　図を参照して、駆動信号に応じて半導体レーザ素子１６１から出射されたレーザビームは、コリメータレンズ１５５とシリンドリカルレンズ１５３を通って、ポリゴンミラー１５２の１つの面に入射する。この面で反射されたビームは、ｆ−θレンズ１５６を通ってミラー１５９で反射され、スリット１１４から光学ユニット２の外に出て感光体ドラム１０に入射し、感光体ドラム１０を露光する。ポリゴンミラー１５２の回転につれ、ポリゴンミラーの１つの面から反射されるビームの出射方向が図に示すように変わって感光体ドラム１０を軸方向に走査する。この軸方向の走査の同期をとるため走査開始時に、レーザビームはミラー１５８および１６０で反射され、フォトダイオード（ＳＯＳセンサ）１６３に入射する。なお、光学系の配置に際し、ポリゴンミラー１５２からフォトダイオード１６３までの光路長がポリゴンミラー１５２から感光体ドラム１０への光路長にほぼ等しくなるように、ミラー１５８および１６０およびフォトダイオード１６３が配置される。
　【００２２】
　図３は図１のデジタル複写機のシステム全体の構成を示すブロック図である。
　図を参照して、プリンタ側にはプリンタ本体を制御する制御プロセッサ２００、イメージリーダ（ＩＲ）光学系を制御する制御プロセッサ２０１、給紙オプションがある場合はそれを制御する制御プロセッサ２０２、排紙オプションがある場合にはそれを制御する制御プロセッサ２０３を含む。印字情報は光学系制御プロセッサ２０１から濃度データ加工処理を行なう万線スクリーン処理プロセッサ２０４を介してプリンタ本体制御プロセッサ２００に送信される。
　【００２３】
　制御ライン２１４を介してプリントモード等の信号がインターフェイス制御プロセッサ２１５へ送信される。このインターフェイス制御プロセッサ２１５は、シリアルインターフェイス２１６を介して各プロセッサ２００〜２０３と種々のモードを通信し合う。さらに、インターフェイス制御プロセッサ２１５は操作部２１８からの入力を受け付けるとともにプリンタ本体上の操作パネル表示部２１７をオン・オフ制御する。表示部はプロセッサ２１５からの指示に基づいて各種情報を外部に表示する。
　【００２４】
　なお、操作部２１８には処理モードを切換るための切換スイッチ２１９が設けられている。すなわちこのスイッチ２１８は以下に説明する万線スクリーン処理を行なうモードと、通常の処理を行なうモードとを切換えるものである。このように処理モードを切換えるのは、たとえば文字がほとんどを占めるような原稿を対象とした処理には通常処理の方が適している場合があり、一方、文字と写真とか混在するような原稿を対象とした処理には万線スクリーン処理の方が品質の面で好ましい場合があるからである。このようにして原稿の種類に応じた最適な処理を可能とするものである。
　【００２５】
　図４は図３に示すインターフェース制御プロセッサ２１５のメインルーチンを示すフローチャートである。
　【００２６】
　まず、ステップＳ３００で初期設定を行ない、内部ＲＡＭ等のクリアを行なう。次にシリアルデータの受信を行ない（Ｓ３０１）、プリントモードの設定、プリントの要求等の条件を設定する。次に、ステップＳ３０２でプリント要求が出されているか否かを判別する。プリント要求があると、プリント処理（Ｓ３０３）を実施する。具体的には、Ｐ／Ｃ回りの立ち上げ、給紙の実行、ローラ等の制御が行なわれる。
　【００２７】
　次にステップＳ３０４で通常処理が行なわれるが、これはプリント中、待機中にかかわらず実施される処理である。その後シリアル送信（Ｓ３０５）により、プリンタ本体制御プロセッサ２００のプリントシーケンス、状態等の情報がインターフェイス制御プロセッサ２１５に送られる。
　【００２８】
　最後に、１ループのカウンタアップをチェックし（Ｓ３０６）、フローはステップＳ３０１へ戻る。
　【００２９】
　図５は図３の万線スクリーン処理プロセッサ２０４回りのシステム構成図である。
　【００３０】
　図を参照してイメージリーダーＩＲで読取られた画像データ（８ビット）が１ライン毎に第１のメモリ（ＦＩＦＯ）２５０に書込まれる。画像データと共に、図８に示される主走査方向の原稿の存在を示す主走査有効信号ＡもイメージリーダーＩＲから送られ、その信号はタイミング制御部２５２および第１のメモリ２５０に入力される。また、図８に示されるスキャン方向の原稿の存在を示す副走査有効エリア信号も万線スクリーンプロセッサ２０４に与えられる。所定時間後、タイミング制御部により、主走査有効エリア信号Ｂが発生され、プロセッサ２０４と第１のメモリ２５０とに与えられる。この信号によって、図７のフローチャートで示される処理（後に説明する）が実行され、１ライン分の画像データが図９に示されているように、２画素毎に対応するウィンドずつ処理される。そして万線スクリーン処理プロセッサ２０４で処理された２画素毎の画像データは第２のメモリ２５１に書込まれていく。第２のメモリに格納された処理済の画像データは、印字のタイミングにより、プリンタ本体制御プロセッサへ８ビットの画像データとして出力され、そのデータに基づいてレーザプリンタは画像を形成する。
　【００３１】
　図６および図７は、図３の万線スクリーン処理プロセッサ２０４が行なうプリント処理の制御内容を示すフローチャートである。
　【００３２】
　このフローチャートを具体的に説明する前に、図８から図１１を参照して、この制御内容の概要について説明する。
　【００３３】
　図８は読取られるべき原稿に対する主走査方向有効エリア信号および副走査有効エリア信号のオン・オフの関係を示した図である。図に示すように、主走査有効エリア信号は、原稿に対するライン方向すなわち主走査方向に対して原稿が存在するときに変化する信号であり、副走査有効エリア信号は、スキャン方向または通紙方向に対して原稿が存在しているときに変化する信号である。
　【００３４】
　図９は主走査有効エリア信号と、各画像データと、ウィンド番号との関係を示す図である。図においては、例として１ラインの画像データが０からＮまでのＮ＋１の画素について記載されている。ウィンド番号は、隣接する２つの画素毎に、１つの番号が付与される。すなわち、画像データ０および１に対してウィンド番号がＷ０として対応し、画像データＮ−１およびＮに対しては、ウィンド番号がＷ（Ｎ−１）／２が対応する。以下の説明の便宜上、画像データ０は、ウィンドＷ０の左濃度データしとして対応し、画素データ１は、Ｗ０の右濃度データＲとして対応する。同様にして、画素データＮ−１は、Ｗ（Ｎ−１）／２の左濃度データしと画像データＮは、Ｗ（Ｎ−１）／２の右濃度データＲとして対応する。
　【００３５】
　図１０は各画素に対する濃度データの加工の要領を示した概略図である。
　図１０の（１）においては、この発明の濃度データの加工の基本思想が示されている。図において、縦軸には、２５６の階調（０〜２５５）の濃度レベルが示され、横軸には、あるウィンドの左濃度データしと右濃度データＲとが示されている。この例では、左濃度データＬの濃度値が大きく、右濃度データＲの濃度値より値ＤＬＲだけ差異が生じている。この差異ＤＬＲがあるしきい値ＤＴＨより小さいとき、右側の濃度データＲの値が、左濃度データＬに、破線で示すように移設される。この例では、結果として左濃度データＬの値が破線の位置まで増加し、右濃度データＲの値は０となる。
　【００３６】
　図１０の（２）の場合においては、左濃度データと右濃度データとの差異ＤＬＲかしきい値ＤＴＨより大きい場合の処理が示されている。この場合は、図１０の（１）に示すような濃度データの移設は行なわない。このように移設を行なわないのは、たとえば文字データのようなエッジ部分が明瞭に示されるような画像の場合、図１０の（１）のように移設を行なうと、エッジ部分の位置が移動し画像の再現性としては好ましくないからである。
　【００３７】
　図１０の（３）は画像データの移設にあたってさらに他の例を示したものである。この例では左濃度データＬと右濃度データＲとの差ＤＬＲがしきい値ＤＴＨより小さいので、基本的には（１）のように濃度データの移設を行なう。しかし、この例では、左側濃度データＬの値が大きいため、右濃度データＲの値をすべて移設すると、濃度レベルの最大値２５５より越えてしまう。したがって、この場合、左濃度データＬの上限が最大値２５５となるように右濃度データＲから移設量が破線のように決定される。したがって、移設の結果は、左濃度データＬの値は最大値２５５となり、右濃度データＲの値は０とはならず、破線の位置の濃度データとして残存することになる。このようにすることによって、左濃度データＬに対応する画素におけるトナーの付着量は最大値となり、かつこのウィンドを構成する画素全体としての濃度レベルは保持されることになる。
　【００３８】
　図１１は図１０の（１）のデータの移設が行なわれた結果を、ウィンドＷ０からＷ４、ライン第１から３に対応した部分の画素の状況を示した図である。図に示すように、この例では、右濃度データＲがすべて左濃度データしに移設されるため、ウィンドＷ０からウィンドＷ４のそれぞれを構成する画素の濃度はすべてその左側の画素Ｌに移設されることになり、その結果１つおきごとの画素が強調された万線スクリーン処理が施されたことになる。この例では、移設後の右側の画素Ｒの値は０としているが、図１０の（３）に示すような移設が行なわれた場合であっても左側の画素Ｌの濃度が強調されることになり、結果として、万線スクリーン処理が行なわれたのと同様の効果が生じる。
　【００３９】
　次に図６および図７のフローチャートについて説明する。万線スクリーン処理プロセッサの処理が始まると、まず、ステップＳ５０１で、副走査有効エリア信号が変化しているか否かが判別される。副走査有効エリア信号が変化していないときすなわち光学系が原稿の読取りを行なっていないときは、そのままリターンする。一方、副走査有効エリア内であるときは、ステップＳ５０２で主走査有効エリア信号が変化したか否かが判別される。この信号が変化すると、光学系が、原稿を主走査方向に走査し始めたことを意味するので、ステップＳ５０３で、ウィンド番号を０にリセットする。一方、すでに主走査有効エリア信号が変化した後である場合は、フローはステップＳ５０３をジャンプし、ステップＳ５０４に進む。ステップＳ５０４では、原稿の読取り対象が主走査有効エリア内か否かが判別される。エリア外のときは、万線スクリーン処理は行なわずそのままリターンする。
　【００４０】
　光学系の走査対象が主走査有効エリア内である場合は、ステップＳ５０５で第１のメモリ２５０に格納されている画素のうち、偶数番目の画素を万線スクリーン処理プロセッサ２０４に読込む。すなわち、左側の画像データＬに、（ウィンド番号×２）番目の画素のデータを格納する。次に、ステップＳ５０６で、第１のメモリ２５０に格納されている画像データの内、奇数番目の画素を読込む。すなわち、右側画像データＲに、（ウィンド番号×２＋１）番目の画素のデータを格納する。
　【００４１】
　次にステップＳ５０７で、ステップＳ５０５および５０６で各々格納された画像データＬと画像データＲとの差の絶対値を演算する。すなわちステップＳ５０７では、隣接する画素間の濃度データのばらつきを求める処理を行なう。
　【００４２】
　次にステップＳ５０８で、求められた差分が所定値未満であるか否かが判別される。差分が所定値未満でないときは、図１０の（２）の状態に対応するものであり、フローはステップＳ５１４に戻る。この場合、画像データの移設は行なわないため、第１のメモリ２５０から読出された画像データＬおよびＲの値をそのまま第２のメモリ２５１に出力し、そこに格納する。そして、ステップＳ５１５で次のウィンドに対する画像データの処理を行なうべく、ウィンド番号をインクリメントした後、フローはステップＳ５０４に戻る。
　【００４３】
　一方、ステップＳ５０８で差分が所定値未満である場合は、図１０における（１）または（３）の画像データの加工を行なうべくフローはステップＳ５０９以下に進む。ステップＳ５０９では、画像データＬに、画像データＬと画像データＲとを加えた値が格納される。そして、ステップＳ５１０で、この画像データＬが最大値すなわち図１０においては、２５５の値を越えているか否かが判別される。画像データＬが最大値を越えていないときは、図１０の（１）としての画像データの加工を行なうために、ステップＳ５１２で画像データＲに０の値を格納する。そして、ステップＳ５０９およびステップＳ５１２で決定された画像データＬおよびＲを、ステップＳ５１４において、第２のメモリ２５１に出力して格納し、次にステップＳ５１５でウィンド番号をインクリメントした後、フローはステップＳ５０４に戻る。
　【００４４】
　一方、ステップＳ５１０で、ステップＳ５０９で求められた画像データＬが最大値より越えているときは、図１０の（３）に対応する処理を行なう。すなわち、ステップＳ５１１で、画像データＲに画像データＬから最大値を引いた値を格納する。すなわち図１０の（３）のように、右側画像データＲの破線の位置の値を求める処理である。そして、ステップＳ５１３で、画像データＬに、最大値２５５を格納する。その後、同様にステップＳ５１４以下の処理を行なって、次のウィンド番号に対する画像の加工を行なうべくウィンド番号をインクリメントして、フローはステップＳ５０４に戻る。
　【００４５】
　図１２はこの発明の一実施例を適用して形成された画像に対する視覚特性を考慮した粒状度評価を示す図である。一方、図１３は、従来の強度変調方式において形成された画像に対する粒状度評価を示した図であり、図１２に対応したものである。両図において、横軸には、空間周波数がとられ、縦軸には、空間周波数に対応する各パワーがとられている。図に示すように、図１２においては、空間周波数４（ｌｐ／ｍｍ）のあたりでパワーが集中しており、一方、図１３においては、空間周波数４（ｌｐ／ｍｍ）以下の低周波成分においてノイズが発生している状態が示されている。
　【００４６】
　図１４は、空間周波数が視覚にノイズとして与える影響を示す、Ｄｏｏｌｅｙによる、視覚のＭＴＦ特性図である。
　【００４７】
　図において、横軸には空間周波数がとられ、縦軸には、視覚にノイズとして与える影響を示すレベルがとられており、その値が１に近づくほど、人間の目には、ノイズすなわち画質の低下を感じるものである。図１４から明瞭に示されているように、空間周波数１（ｌｐ／ｍｍ）の値で、最大のノイズ効果が示されている。この図１４に基づいて、図１２および図１３の粒状度評価を行なうと、この発明による実施例の万線スクリーン処理の効果が顕著に表われている。すなわち、図１２における本願発明の実施例によると、空間周波数１（ｌｐ／ｍｍ）当りの成分は極めて少ないのに対して、図１３における、従来の強度変調方式によるものであれば、空間周波数１（ｌｐ／ｍｍ）あたりにその成分が集中していることがわかる。
　【００４８】
　図１５はこの発明の一実施例の効果を示すために読取られた１６階調の写真画像であり、図１６は図１５の原稿画像を読取って、この発明の一実施例による万線スクリーン処理を施した結果としての画像を示したものである。図１６においては、図の上下方向に、万線スクリーンの方向が示された処理となっている。
　【００４９】
　図１７は、この発明の一実施例の効果を文字画像に対して示すために読み取られた原稿である。図１８は、図１７の原稿に対して、万線スクリーン方向を図面に対して右側方向に与えた場合の、この発明の一実施例による画像であり、図１９は、万線スクリーン方向を図面に対して上下方向に与えた場合のこの発明の一実施例による画像である。
　【００５０】
　これに対して図２０は、図１７の原稿に対していわゆるディザ法を適用した場合の、従来の画像である。図２０においては、文字のように、つながって再現されるべきデータが、ディザ処理によると、不連続に再現されていることがわかる。これに対して、図１８および図１９に示されているように、この発明の一実施例によれば、文字画像に対しても、さらに優れた画像の再現が可能になる。図２１は、図１１に対応するものであり、万線スクリーン方向を４５度方向に変化させたものである。具体的には、ライン１に対しては、ウィンドＷ０からＷ４の各々を構成する画素のうち、右側の画素Ｒからそのデータを左側の画素Ｌに移設し、ライン２に対しては、逆に左側の画素のデータを右側の画素に移設する処理を施すものである。このようにラインの奇数および偶数によって、画素の移設する方向を逆にすることによって、隣接する画素のうち強調される濃度の画素の配置か市松模様すなわちスクリーン角が４５度となっている。このスクリーン角４５度における、図１５の原稿画像に対して再現された画像が図２３に示されている。
　【００５１】
　図２２は、さらに画素の移行方向を変化させた、図１１に対するさらの変形例てある。この例では、ライン１に対しては、ウィンドＷ０、Ｗ２およびＷ４に対してのみ画素データの左側への移設を行ない、ウィンドＷ１およびＷ３に対しては画素の移設は行なわない。次にライン２に対しては、ウィンドＷ１およびＷ３に対して画素の移設を行なうが、ウィンドＷ０、Ｗ２およびＷ４に対しては画素の移設は行なわない。ライン３に対しては、ライン１と同様の移設を行なうことによって、図に示すような濃度を強調する画素のパターンが作成される。この結果、スクリーン角は２６．６度となり、その効果が図１５の原稿に対して読取られた画像として、図２４に示されている。
　【００５２】
　図２５はこの発明の他の実施例による、隣接する３画素に対して万線スクリーン処理を行なった場合の万線スクリーン処理プロセッサの制御内容を示すフローチャートである。
　【００５３】
　隣接する３画素に対する濃度データの移設の処理については、図２７に具体的に示されている。
　【００５４】
　図２７の（１）において示されているように、中央の画像データＭと、その左側に隣接する画像データＬと、その右側に隣接する画像データＲとが、図に示すような値をとっていると想定する。この場合、隣接する３画素の内、最大の濃度データを保有する画像データ、すなわちこの例では、画像データＬと、隣接する３画素の中で、最小の濃度データを保有している画像データ、すなわちこの例では、画像データＭとの差異が求められる。この差異Ｄが、しきい値ＤＴＨより小さい場合、中央の画像データＭに対して、その両側の画像データＬおよびＲの濃度データの移設が行なわれる。この例では、画像データＬの値が画像データＭの値に重ねられ、さらに、画像データＲの値が、その上に重ねられるが、すべての画像データを中央の画像データＭに積み上げると、濃度データの最大値２５５を越えてしまうので、その最大値を越えた部分は、分配されて画像データＬおよびＲの値として残ることになる。
　【００５５】
　一方、図２７の（２）に示されているように、隣接する３画素の内、その最大の濃度を示す画素の濃度データと最小の濃度データを示す画素の値との差Ｄが、しきい値ＤＴＨより大きい場合は、先の実施例と同様に、濃度データの移設処理は行なわない。その理由は先の実施例と同様であり、文字画像に対して、エッジの移設等が生じるおそれを防止するためである。
　【００５６】
　図２５のフローチャートに戻ってこの他の実施例の説明を以下行なうが、ステップＳ６０１からステップＳ６０４までの処理は、先の実施例と同様であるので、ここでの説明は繰返さない。
　【００５７】
　ステップＳ６０５で、画像データＬに、第１のメモリ２５０に格納されている画素のデータの内、（ウィンド番号×３）番目の画素のデータを読出して格納する。
　【００５８】
　なお、この実施例においては、ウインド番号は、隣接する３画素毎に対応したものであり、先の実施例の隣接する２画素毎に対応するウィンド番号とは異なるものである。
　【００５９】
　次に、ステップＳ６０６で画像データＭに、第１のメモリ２５０から、（ウィンド番号×３＋１）番目の画素のデータを読出して格納する。同様にステップＳ６０７では、画像データＲに第１のメモリ２５０から、（ウィンド番号×３＋２）番目の画素のデータを読出し格納する。次にステップＳ６０８で、画像データＬ、ＭおよびＲに格納されたデータの内、最大のものをデータＡとし、同様にステップＳ６０９で、３つのデータの内最小のものをデータＢとする。そして、ステップＳ６１０で、データＡとデータＢの差分を演算する。ステップＳ６１１で、その差分が所定値未満であるか否かが判別される。差分が所定値未満であるときは、図２７の（１）に示されている濃度データの移設処理を行なうため、ステップＳ６１２以下のフローに進むが、差分が所定値未満でないときは、図２７の（２）に示されているように、濃度データの移設は行なわないため、フローはステップＳ６１９に進む。ステップＳ６１９で、画像データＬ、ＭおよびＲの値をそのまま出力し、第２のメモリ２５１に格納する。そしてステップＳ６２０で、次のウインドに対する処理を行なうため、ウィンド番号をインクリメントした後、フローはステップＳ６０４に戻る。
　【００６０】
　一方、ステップＳ６１１で、差分が所定値未満であるときは、ステップＳ６１２で、画像データＭに、画像データＬ、画像データＭおよび画像データＲの値のすべてを加えたものを格納する。そしてステップＳ６１３でその画像データＭが最大値すなわち２５５より大きいか否かが判別される。画像データＭが最大値を越えていないときは、ステップＳ６１７で画像データＬに０の値を格納し、ステップＳ６１８で画像データをＲに０の値を格納した後、フローはステップＳ６１９に進む。
　【００６１】
　一方、ステップＳ６１３で、画像データＭが最大値より越えている場合は、ステップＳ６１４で、画像データＬに画像データＭから最大値を引いたものの値の２分の１の値を格納する。そしてステップＳ６１５で、画像データＲに画像データＭから最大値と画像データＬとを引いた値を格納する。さらにステップＳ６１６で、画像データＭに最大値を格納する。すなわちステップＳ６１４からステップＳ６１６の処理によって、隣接する３つの画素の濃度データを加えた値が、最大値より越えているときには、その越えた分の２分の１の値が、左右の画像データＬおよびＲに分配されることになる。
　【００６２】
　このようにして、画像データＬ、ＭおよびＲの値が決定され、その値をステップＳ６１９において、第２のメモリ２５１に出力して格納する。そしてステップＳ６２０において、次のウィンドに対応する画素を処理するために、ウィンド番号をインクリメントした後、フローはステップＳ６０４に進み以後上記と同様の処理が行なわれる。
　【００６３】
　なお、上記第１および第２の実施例では、万線スクリーンを加える方向は、主走査方向としているが、副走査方向に加えることも可能である。しかし、副走査方向は感光体ドラムの回転ピッチの誤差の影響を受けやすいので、主走査方向をスクリーン方向とする方が望ましい。
　【００６４】
　また、上記第１および第２の実施例では、画素の濃度データの移設の実行の有無を判断するしきい値を一定としてるが、読取画像の状態によって、たとえば中間調画像や文字画像等によって、そのしきい値を変化させることも可能である。
　【００６５】
　さらに、しきい値の具体的な値は、０〜２５５階調の場合８０程度が望ましい。これは、白と黒のコントラスト差が２４０程度であり、その３分の１程度として設定したものである。
　【００６６】
　さらに、上記第１および第２の実施例では、隣接する２画素または３画素に対して濃度データの移設をしているが、原稿画像によっては、４画素以上の隣接画素に対して濃度データの移設を行なうことも可能である。
　【００６７】
　さらに、上記第１および第２の実施例においては、強度変調方式による画像処理装置にこの発明を適用しているが、強度変調方式以外の方式にも、この発明の思想を適用できることは言うまでもない。
　【００６８】
　さらに、上記第１および第２の実施例では、濃度データの移設にあたって、上限を最大値２５５としているが、必ずしも上限を最大値とする必要はなく、最大値未満の値を上限として設定して濃度データを移設することも可能である。
　【００６９】
　なお、上記第１および第２の実施例では、隣接する２画素および隣接する３画集に対して各々濃度データの加工処理を行なっているが、それらの処理のいずれも１台のデジタル複写機において可能とするように構成してもよい。その場合、図３２に示すように操作部２１８にスイッチ２１９とは別に加工処理の種類を切換えるスイッチ２２０を設けていずれかの処理を指定できるように構成すればよい。
　【００７０】
　また、スイッチ２２０を設ける代わりにスイッチ２１９で処理モードを指定するようにして、これによって２画素を対象とした万線スクリーン処理を行なうか３画素を対象とした万線スクリーン処理を行なうかを決めるようにしてもよい。すなわち、文字が大部分の原稿に対する処理モードでは通常処理を行ない、文字と写真とが混在するような原稿に対する処理モードでは２画素を対象として万線スクリーン処理を行ない、写真が大部分の原稿に対する処理モードでは３画素を対象とした万線スクリーン処理を行なうようにすればよい。
　【００７１】
　図２８および２９はこの発明の第３の実施例による、隣接する３画素に対して万線スクリーン処理を行なった場合の万線スクリーン処理プロセッサの制御内容を示すフローチャートである。
　【００７２】
　隣接する３画素に対する濃度データの移設の処理については、図３０に具体的に示されている。
　【００７３】
　図３０の（１）において示されているように、中央の画像データＭと、その左側に隣接する画像データＬと、その右側に隣接する画像データＲとが、図に示すような値をとっていると想定する。この場合、隣接する３画素のうち、最大の濃度データを保有する画像データ、すなわちこの例では画像データＬと、隣接する３画素の中で、最小の濃度データを保有している画像データ、すなわちこの例では、画像データＭとの差異が求められる。この差異Ｄが第２の所定値ＤＴＨより小さい場合、中央の画像データＭに対して、その両側の画像データＬおよびＲの濃度データの移設が行なわれる。この例では、画像データＬの値が画像データＭの値に重ねられ、さらに、画像データＲの値が、その上に重ねられるが、すべての画像データを中央の画像データＭに積み上げると、濃度データの最大値２５５を越えてしまうので、その最大値を越えた部分は画像データＬおよびＲに均等に分配される。
　【００７４】
　一方、図３０の（２）に示されているように、隣接する３画素のうち、その最大の濃度を示す画素の濃度データと最小の濃度データを示す画素の値との差Ｄが、第２の所定値ＤＴＨより大きい場合は、先の実施例と同様に、濃度データの移設処理は行なわない。その理由は先の実施例と同様であり、文字画像に対してエッジの移設等が生じる恐れを防止するためである。
　【００７５】
　図２８のフローチャートに戻ってこの発明の第３の実施例の説明を行なうが、ステップＳ７０１からステップＳ７０４までの処理は、先の第１の実施例のステップＳ５０１からステップＳ５０４の処理と同様であるので、ここでの説明は繰返さない。
　【００７６】
　ステップＳ７０５で、画像データＬに、第１のメモリ２５０に格納されている画素のデータのうち、（ウインド番号×３）番目を画素のデータを読出して格納する。
　【００７７】
　なお、この実施例においては、ウインド番号は、隣接する３画素ごとに対応したものであり、先の第１の実施例の隣接する２画素ごとに対応するウインド番号とは異なるものである。
　【００７８】
　次に、ステップＳ７０６で画像データＭに、第１のメモリ２５０から、（ウインド番号×３＋１）番目の画素のデータを読出して格納する。同様にステップＳ７０７では、画像データＲに第１のメモリ２５０から、（ウインド番号×３＋２）番目の画素のデータを読出し格納する。次に、ステップＳ７０８で、画像データＬ，ＭおよびＲの３つの平均値と濃度データの最大値（第１の所定値）２５５とを比較し、平均値が２５５以下であれば次のステップＳ７０９に進み、２５５より大きいときは、この万線スクリーン処理を行なわずにステップＳ７２０に進む。
　次にステップＳ７０９で、画像データＬ，ＭおよびＲに格納されたデータのうち、最大のものをデータＡとし、同様にステップＳ７１０で、３つのデータのうち最小のものをデータＢとする。そして、ステップＳ７１１で、データＡとデータＢの差分を演算する。ステップＳ７１２で、その差分が図３０で示した第２の所定値ＤＴＨ未満であるか否かが判別される。差分が所定値ＤＴＨ未満であるときは、図３０の（１）に示されている濃度データの移設処理を行なうため、ステップＳ７１３以下のフローに進むが、差分が所定値ＤＴＨ未満でないときは、図３０の（２）に示されているように、濃度データの移設は行なわないため、フローはステップＳ７２０に進む。ステップＳ７２０で画像データＬ、ＭおよびＲの値をそのまま出力し、第２のメモリ２５１に格納する。そしてステップＳ７２１で、次のウインドに対する処理を行なうために、ウインド番号をインクリメントした後、フローステップＳ７０４に戻る。
　【００７９】
　一方、ステップＳ６１１で差分が所定値ＤＴＨ未満であるときは、ステップＳ７１３で、画像データＭに、画像データＬ、画像データＭおよび画像データＲの値のすべてを加えたものを格納する。そしてステップＳ７１４でその画像データＭか最大値すなわち２５５より大きいか否かが判別される。画像データＭが最大値を越えていないときは、ステップＳ７１８で画像データしに０の値を格納し、ステップＳ７１９で画像データＲに０の値を格納した後、フローはステップＳ７２０に進む。
　【００８０】
　一方、ステップＳ７１４で、画像データＭが最大値２５５より越えている場合は、ステップＳ７１５で、画像データＬに画像データＭから最大値２５５を引いたものの値の２分の１の値を格納する。そしてステップＳ７１６で、画像データＲに画像データＭから最大値２５５と画像データＬとを引いた値を格納する。さらにステップＳ７１７で、画像データＭに最大値２５５を格納する。すなわちステップＳ７１５からステップＳ７１７の処理によって、隣接する３つの画素の濃度データを加えた値が、最大値２５５より越えているときには、その越えた分の２分の１の値が左右の画像データＬおよびＲに均等に分配されることになる。
　【００８１】
　このようにして、画像データＬ、ＭおよびＲの値が決定され、その値をステップＳ７２０において、第２のメモリ２５１に出力して格納する。そしてステップＳ７２１において、次のウインドに対応する画素を処理するために、ウインド番号をインクリメントした後、フローはステップＳ７０４に進み以後上記と同様の処理が行なわれる。
　【００８２】
　図３１は図１５で示された原稿画像に対して上記で述べたこの発明の第３の実施例によって形成された画像である。
　【００８３】
　図３３はこの発明の第４の実施例による万線スクリーン処理プロセッサ周りのシステム構成図である。
　【００８４】
　図を参照して、システムの構成は基本的には図５で示した第１の実施例と同じであるが、異なる点は移動量参照テーブル２５３が設けられている点である。移動量参照テーブルは以下に説明するように、万線スクリーン処理における濃度データの移設量を隣接する２画素の濃度データの差に応じて定めたものである。その内容は具体的には図３４に示されている。図３４において、横軸には濃度データの差を入力とした差分がとられ、縦軸には差分に対応する移設量が出力としてとられている。
　【００８５】
　図３５は第４の実施例における各画素に対する濃度データの加工の要領を示した概略図である。
　【００８６】
　図３５の（１）においては、この実施例の濃度データの加工の基本思想が示されている。図において、縦軸には２５６の階調（０〜２５５）の濃度レベルが示され、横軸にはあるウインドの左濃度Ｌと右濃度データＲとが示されている。この例では、左濃度データＬの濃度値が大きく、右濃度データＲの濃度値よりＤＬＲだけ差異が生じている。この差異ＤＬＲに対応する濃度データ移設量Ｘが万線スクリーン処理プロセッサ２０４によって移設量を参照テーブル２５３のデータアクセスすることにより求められ、右側の濃度データＲの値が、左濃度データＬに破線で示すように移設される。この例では、結果として左濃度データＬの値が破線の位置まで増加し、右濃度データＲの値は０となる。
　【００８７】
　図１０の（２）の場合においては、左濃度データと右濃度データとの差異ＤＬＲが大きい場合の処理が示されている。この場合は、図１０の（１）に示すような濃度データの移設は行なわない。このように移設を行なわないのは、たとえば文字データのようなエッジ部分が明瞭に示されるような画像の場合、図１０の（１）のように移設を行なうと、エッジ部分の位置が移動し画像の再現性としては好ましくないからである。この場合の差異ＤＬＲに対応する移設量Ｘは、移設量参照テーブル上では図３４に示されているように“０”に設定されている。
　【００８８】
　図１０の（３）は画像データの移設にあたってさらに他の例を示したものである。この例では左濃度データＬと右濃度データＲとの差ＤＬＲが小さいので、基本的には（１）のように濃度データの移設を行なう。しかし、この例では、左側濃度データＬの値が大きいため、図３４の移設量参照テーブルに示されている移設量Ｘの値をそのまますべて移設すると、濃度レベルの最大値２５５より越えてしまう。この場合、左濃度データＬの上限が最大値２５５となるように移設量Ｘ′が破線のように決定される。したがって、移設の結果、左濃度データＬの値は最大値２５５となり、右濃度データＲの値は０とはならず、破線の位置の濃度データとして残存することになる。このようにすることによって、左濃度データＬに対応する画素におけるトナーの付着量は最大値となり、かつこのウインドを構成する画素全体としての濃度レベルは保持されることになる。
　【００８９】
　次に、第４の実施例による図３６および図３７のフローチャートについて説明する。なお、ステップＳ８０１からステップＳ８０７の処理は第１の実施例におげる図７のステップＳ５０１からステップＳ５０７の処理と同一であるので、ここでの説明は繰返さない。
　【００９０】
　ステップＳ８０７で求められた差分に基づいて、ステップＳ８０８で、図３４の移設量参照テーブル２５３より対応する差分のときの移設量Ｘを選んでくる。そして、ステップＳ８０９に、移設量Ｘ、画像データＲおよび（最大値−画像データＬ）の３つの値のうち最も小さいものを判断し、以下のステップにそれぞれ進んでいく。
　【００９１】
　このような判断処理を行なうのは、実際に隣接する画素同志で移設することのできる値を求める必要があるからである。すなわち、２つの画素の差分により決定される移設量Ｘが、移設する側の値（画像データＲ）より小さければ移動量Ｘをそのまま用いて処理すればよいが、移設量Ｘの方が大きければ画像データＲは処理上マイナスとなり、結果として全体の濃度の保全ができない。
　【００９２】
　また、移設される側（画像データＬ）に対してもその最大値を越えて移設してしまうと隣接する２画素全体の濃度の保全ができなくなる。このように、ステップＳ８０９で判断された最も小さい値を実際の移設量とするためにステップＳ８１０および８１１の処理が行なわれる。
　【００９３】
　そしてステップＳ８１２では画像データＬに画像データＬと移設量とを加えた値が格納され、ステップＳ８１３では、画像データＲに画像データＲから移設量を引いた値が格納される。ステップＳ８１２およびステップＳ８１３で決定された画像データＬおよびＲを、ステップＳ８１４において第２のメモリ２５１に出力して格納し、次にステップＳ８１５でウインド番号をインクリメントした後、フローはステップＳ８０４に戻る処理は第１の実施例と同じである。
　【００９４】
　図３８はこの発明の第５の実施例の特徴を説明するために、印刷における中間調画像の調子（トーン）のコントロールに用いる原稿濃度と印刷物濃度との関係を示す図である。
　【００９５】
　図を参照して、各種の階調再現特性に対応した曲線が描かれている。
　この実施例では、図３８の標準調子再現データはイメージリーダーＩＲまたは外部機器から入力される。そして図３９の操作部２１８の調子指定スイッチ２２１を用いて予め設定された調子の曲線に対応するオフセット値を用いて、画像の出力データを補正した後、万線スクリーン処理を加えるものである。なお、各曲線に対するオフセット値は図４０のオフセット値参照テーブル２５４に格納されている。
　【００９６】
　図４１は図３８の階調再現特性のうちハイライト強調のカーブを例として取出し、その場合のオフセット値の求め方を説明するための図である。
　【００９７】
　図を参照して、入力データとして隣接する２画素の平均濃度がｘであったとする。この場合入力データｘに対応するハイライト強調のカーブの点Ａと標準調子再現ラインの点Ｂ′との差がオフセット値Ｖとなる。ハイライト強調のカーブの階調特性によると図で明らかなようにオフセット値は正の値となっている。
　【００９８】
　図４２はこの発明の第５の実施例による画像処理の原稿を示した図であり、図４１に対応してハイライト強調による調子コントロールを例としている。
　【００９９】
　図４２の（１）に示すような隣接する２画素の濃度データがイメージリーダーＲから得られたとし、その平均値をｘとする。そして、図４１で示したように得られたオフセット値Ｖを図４２の（２）に示すように各々の画素の濃度データに加える。このようにハイライト強調におけるオフセット補正がされた濃度データに対して図４２の（３）に示すように第１の実施例で述べた万線スクリーン処理が行なわれる。
　【０１００】
　図４３および４４はこの発明の第５の実施例による万線スクリーン処理プロセッサの動作を説明するためのフローチャートである。
　【０１０１】
　図を参照して、ステップＳ９０１からステップＳ９０８は、第１の実施例のステップＳ５０１からステップＳ５０８の内容と同一であるのでここでの説明は繰返さない。
　【０１０２】
　ステップＳ９０８で差分が所定値未満である場合、ステップＳ９０９で調子指定スイッチ２２１による調子設定入力があったか否かが判断される。
　【０１０３】
　調子設定入力がなかった場合は調子のコントロールは不要であるので、フローはステップＳ９１５に進み、以後第１の実施例と同様の処理が行なわれる。
　【０１０４】
　一方、調子設定入力があった場合は、ステップＳ９１０で調子の設定内容に応じたオフセットテーブルがオフセット値参照テーブル２５４から準備される。次に、画像データＬおよびＲの平均濃度データＤａが算出される（Ｓ９１１）。そのデータＤａに基づいてオフセット値Ｄｏがオフセットテーブルから求められる（Ｓ９１２）。
　【０１０５】
　オフセット値Ｄｏが求まるとステップＳ９１３で画像データＬおよびＲの各々にオフセット値Ｄｏを加えた値を画像データＬ′およびＲ′として求める（Ｓ９１３）。そして、画像データＬを画像データＬ′およびＲ′を加えた値として求め、フローはステップＳ９１６に進む。
　【０１０６】
　ステップＳ９１６からステップＳ９２１の内容は第１の実施例のステップＳ５１０からステップＳ５１５の内容と同一であるので、ここでの説明は繰返さない。
　【０１０７】
　図４５は図１６の画像を標準調子再現によるものとして対比される、第５の実施例によるハイライト強調による調子コントロールを行なった場合の画像であり、図４６は第５の実施例によるシャドウ強調による調子コントロールを行なった場合の画像である。
　【０１０８】
　なお、上記第５の実施例では、隣接した２画素を対象とした万線スクリーン処理に適用しているが、第２の実施例で示した隣接した３画素を対象とした万線スクリーン処理にも同様に適用できる。
　【０１０９】
　【発明の効果】
　この発明は以上説明したとおり、受取られた所定の画像データの一部または全部が隣接する画素の画像データに移設されるようにデータが加工されるので、原稿画像に対する処理の連続性が確保され、さらに解像度を維持しながら中間調部の粒状性が改善される。また、エッジ部分の位置の移動を防止することができる。
【図面の簡単な説明】
　【図１】
　この発明の第１の実施例によるデジタル複写機本体の断面構造図である。
　【図２】
　図１に示された光学ユニット２における光学系の構成を示す斜視図である。
　【図３】
　図１のデジタル複写機のシステム全体の構成を示すブロック図である。
　【図４】
　図１のデジタル複写機のメインルーチンを示すフローチャートである。
　【図５】
　図３の万線スクリーン処理プロセッサ回りの構成を示すシステムブロック図である。
　【図６】
　図５の万線スクリーン処理プロセッサの制御内容を示すフローチャートの一部である。
　【図７】
　図５の万線スクリーン処理プロセッサの制御内容を示すフローチャートの他の一部である。
　【図８】
　この発明の第１の実施例による主走査有効エリア信号と副走査有効エリア信号との原稿に対する変化を示す図である。
　【図９】
　この発明の第１の実施例による主走査有効エリア信号と、画素データと、ウィンド番号との関係を示す図である。
　【図１０】
　この発明の第１の実施例による、隣接する画素における濃度データの移設によるデータの加工要領を示した概略図である。
　【図１１】
　この発明の第１の実施例による、各画素に対する濃度データの移設処理が行なわれた状態を、ウィンド番号と、ライン番号との関係で示した図である。
　【図１２】
　この発明の第１の実施例を適用した画像に対して視覚特性を考慮した粒状度評価を示した図である。
　【図１３】
　図１２に対して従来の強度変調方式による画像に対して視覚特性を考慮した粒状度評価を示した図である。
　【図１４】
　図１２および図１３の評価を行なうために示された、視覚のＭＴＦ特性を示した図である。
　【図１５】
　この発明の第１の実施例によるデジタル複写機で読取られた原稿画像である。
　【図１６】
　図１５で示された原稿画像に対してこの発明の第１の実施例によって形成された画像である。
　【図１７】
　この発明の第１の実施例によるデジタル複写機で読取られた文字原稿を示した図である。
　【図１８】
　図１７で示された原稿画像に対してこの発明の第１の実施例を適用した場合の画像であって、図面に対して左右方向にスクリーン方向を設定した場合の画像である。
　【図１９】
　図１７で示された原稿画像に対してこの発明の第１の実施例を適用した場合の画像であって、図面に対してスクリーン方向を上下方向に設定した場合の画像である。
　【図２０】
　図１７で示された原稿に対して従来のディザ法によって生成された画像である。
　【図２１】
　この発明の第１の実施例による他の変形例であって、濃度データの移設状態をスクリーン方向を４５度に設定した場合のウィンド番号とライン番号との関係で示した図である。
　【図２２】
　この発明の第１の実施例によるさらに他の変形例であって、濃度データの移設状態をスクリーン方向を２６．６度に設定した場合のウィンド番号とライン番号との関係で示した図である。
　【図２３】
　図２１の変形例に対応したものであって、スクリーン方向が４５度に設定した場合の画像である。
　【図２４】
　図２２の変形例に対応したものであって、スクリーン方向が２６．６度に設定した場合の画像である。
　【図２５】
　この発明の第２の実施例による万線スクリーン処理プロセッサの制御内容を示すフローチャートの一部である。
　【図２６】
　この発明の第２の実施例による万線スクリーン処理プロセッサの制御内容を示すフローチャートの他の一部である。
　【図２７】
　この発明の第２の実施例による隣接する３画素に対する濃度データの移行処理の概要を示す図である。
　【図２８】
　この発明の第３の実施例による万線スクリーン処理プロセッサの制御内容を示すフローチャートの一部である。
　【図２９】
　この発明の第３の実施例による万線スクリーン処理プロセッサの制御内容を示すフローチャートの他の一部である。
　【図３０】
　この発明の第３の実施例による隣接する３画素に対する濃度データの移行処理の概要を示す図である。
　【図３１】
　図１５で示された原稿画像に対してこの発明の第３の実施例によって形成された画像である。
　【図３２】
　この発明の第１および第２の実施例に対する変形例としてのデジタル複写機のシステム全体の構成を示すブロック図である。
　【図３３】
　この発明の第４の実施例による万線スクリーン処理プロセッサ周りのシステム構成図である。
　【図３４】
　この発明の第４の実施例において用いる移動量参照テーブルの内容を示す図である。
　【図３５】
　この発明の第４の実施例における各画素に対する濃度データの加工の要領を示した概略図である。
　【図３６】
　この発明の第４の実施例による万線スクリーン処理プロセッサの制御内容を示すフローチャートの一部である。
　【図３７】
　この発明の第４の実施例による万線スクリーン処理プロセッサの制御内容を示すフローチャートの他の一部である。
　【図３８】
　この発明の第５の実施例の特徴を説明するために示された原稿濃度と印刷物濃度との関係を示す図である。
　【図３９】
　この発明の第５の実施例によるデジタル複写機全体の構成を示すブロック図である。
　【図４０】
　この発明の第５の実施例による万線スクリーン処理プロセッサ周りの構成を示すシステムブロック図である。
　【図４１】
　図３８の階調再現特性のうちハイライト強調を例としたオフセット値の求め方を説明するための図である。
　【図４２】
　この発明の第５の実施例によるハイライト強調を例とした画像処理の原理を示した図である。
　【図４３】
　この発明の第５の実施例による万線スクリーン処理プロセッサの制御内容を示すフローチャートの一部である。
　【図４４】
　この発明の第５の実施例による万線スクリーン処理プロセッサの制御内容を示すフローチャートの他の一部である。
　【図４５】
　この発明の第５の実施例によるハイライト強調による調子コントロールを行なった場合の画像である。
　【図４６】
　この発明の第５の実施例によるシャドウ強調による調子コントロールを行なった場合の画像である。
　【符号の説明】
　２０４　万線スクリーン処理プロセッサ
　２５０　第１のメモリ
　２５１　第２のメモリ
　２５２　タイミング制御部
　なお、図中同一符号は同一または相当部分を示す。